(57)【要約】【課題】従来と比較し単純な操作により、各々の被写体の画像に対応する正しい識別情報を関連付けることを可能とした画像記録装置、制御方法、及びプログラムを提供する。【解決手段】撮像装置は、撮像部１０１、被写体特徴量検出部１０３、被写体特徴量比較部１０５、入力ＩＤ解析部１０６、撮影制御部１０７、画像−ＩＤ関連付部１０８、カウント部１１１を備える。撮影制御部１０７は、入力ＩＤ解析部１０６でＩＤ入力装置３０からバーコードデータが入力されたとき、レリーズのロックを解除し撮影を許可する。被写体特徴量比較部１０５は、被写体特徴量検出部１０３で検出した被写体と、既にバーコードデータと関連付けられた記録画像の被写体を比較する。撮影制御部１０７は、これらの被写体が異なる場合、レリーズをロックし撮影を禁止する。【選択図】図２
2010183492.tif 000002
【特許請求の範囲】
【請求項１】
撮像手段により撮像された被写体の画像を記録する画像記録装置において、
入力手段から識別情報が入力されたとき、前記撮像手段を用いた撮像動作を許可する許可手段と、
前記識別情報を前記記録された画像に関連付けて記憶するよう制御する記憶制御手段と、
前記撮像手段により撮像された被写体を検出する検出手段と、
前記検出手段により検出された被写体と前記識別情報に関連付けられた画像の被写体とを比較する比較手段と、
前記比較手段による比較の結果、前記検出手段により検出された被写体と前記識別情報に関連付けられた画像の被写体とが異なる場合、前記撮像手段を用いた撮影動作を禁止する禁止手段と
を備え、
前記記憶制御手段は、前記比較手段による比較の結果、前記検出手段により検出された被写体と前記識別情報に関連付けられた画像の被写体とが同じ場合、前記識別情報を前記撮像手段により撮像された被写体の画像に関連付けて記憶するよう制御することを特徴とする画像記録装置。
【請求項２】
前記検出手段は、前記被写体の特徴量を検出し、前記比較手段は、前記検出手段により検出された被写体の特徴量と前記識別情報に関連付けられた画像の被写体の特徴量とを比較し、前記特徴量は、被写体の顔の構成要素の配置状態、被写体の形状、被写体の色、被写体の輝度、のいずれかを含むことを特徴とする請求項１に記載の画像記録装置。
【請求項３】
前記入力手段から識別情報が入力されて前記撮像手段を用いた撮影動作が可能となった後からの撮影された画像の枚数を計数する計数手段、を更に備え、
前記比較手段は、前記計数手段により計数した前記撮影された画像の枚数が規定値に達した後で、前記比較を行なうことを特徴とする請求項１または２記載の画像記録装置。
【請求項４】
前記比較手段は、予め設定された一定時間間隔で前記比較を行なうことを特徴とする請求項１または２に記載の画像記録装置。
【請求項５】
前記比較手段は、前記撮像手段においてフォーカスロックがかかったときに前記比較を行なうことを特徴とする請求項１または２に記載の画像記録装置。
【請求項６】
撮像手段により撮像された被写体の画像を記録する画像記録装置の制御方法において、
入力手段から識別情報が入力されたとき、前記撮像手段を用いた撮影動作を許可する許可ステップと、
前記識別情報を前記記録された画像に関連付けて記憶するよう制御する記憶制御ステップと、
前記撮像手段により撮像された被写体を検出する検出ステップと、
前記検出ステップで検出された被写体と前記識別情報に関連付けられた被写体とを比較する比較ステップと、
前記比較ステップでの比較の結果、前記検出ステップで検出された被写体と前記識別情報に関連付けられた画像の被写体とが異なる場合、前記撮像手段を用いた撮影動作を禁止する禁止ステップとを有し、
前記記憶制御ステップでは前記比較ステップでの比較の結果、前記検出ステップで検出された被写体と前記識別情報に関連付けられた画像の被写体とが同じ場合、前記識別情報を前記撮像手段により撮像された被写体の画像に関連付けて記憶するよう制御することを特徴とする制御方法。
【請求項７】
請求項６に記載の画像記録装置の制御方法をコンピュータに実行させるためのコンピュータで読み取り可能なプログラムコードを有するプログラム。
【発明の詳細な説明】
【技術分野】
【０００１】
本発明は、撮像した被写体の画像とその画像を識別するための識別情報を関連付けて記録することが可能な画像記録装置、制御方法、及びプログラムに関する。
【背景技術】
【０００２】
従来、例えば図４に示すように学校などで複数の生徒の写真を撮像装置１０００により順番に撮影していく場合、撮影後の写真管理を容易にするために、撮影した写真画像に学生番号などの生徒固有のＩＤを関連付けることが行われている。図４では、撮像装置１０００に接続したバーコードリーダ１００１により撮影対象の生徒１００２が所持する例えばＩＤカードのバーコード１００３を読み取り、バーコードデータを撮像装置１０００に入力する例を示している。
【０００３】
撮像装置で撮影した写真画像とＩＤを関連付ける方法としては、撮影した写真画像のファイル名を生徒のＩＤに基づくファイル名とする場合、ＩＤを写真画像のメタデータとして画像そのものに埋め込む方法がある。
【０００４】
撮影画像にメタデータを埋め込む例としては次の技術が提案されている（例えば、特許文献１参照）。特許文献１には、ＩＤカードから被写体のＩＤを事前に読み取り、撮影の際にＩＤの読取データまたは関連するデータを取得し、取得したデータをメタデータとして撮影画像に埋め込む方法が開示されている。
【先行技術文献】
【特許文献】
【０００５】
【特許文献１】特開２００２−２３２７６１号公報
【発明の概要】
【発明が解決しようとする課題】
【０００６】
しかしながら、上述した特許文献１記載の技術においては、撮影画像にＩＤを付加しているので、ＩＤをキーとした撮影画像の管理や整理は容易に行うことができるが、撮影時に被写体に対応した正しいＩＤを撮影画像に付加する必要がある。その場合、撮影画像に正しいＩＤを付加する処理は操作者の操作に依存する。そのため、操作者が被写体に対応するＩＤの読み取りを忘れた場合、当該被写体の直前に撮影した被写体の撮影画像に付加したＩＤと同じＩＤを当該被写体の撮影画像に付加する可能性があるという問題があった。
【０００７】
本発明の目的は、従来と比較し単純な操作により、各々の被写体の画像に対応する正しい識別情報を関連付けられるようにすることを可能とした画像記録装置、制御方法、及びプログラムを提供することにある。
【課題を解決するための手段】
【０００８】
上記目的を達成するために、本発明は、撮像手段により撮像された被写体の画像を記録する画像記録装置において、入力手段から識別情報が入力されたとき、前記撮像手段を用いた撮像動作を許可する許可手段と、前記識別情報を前記記録された画像に関連付けて記憶するよう制御する記憶制御手段と、前記撮像手段により撮像された被写体を検出する検出手段と、前記検出手段により検出された被写体と前記識別情報に関連付けられた画像の被写体とを比較する比較手段と、前記比較手段による比較の結果、前記検出手段により検出された被写体と前記識別情報に関連付けられた画像の被写体とが異なる場合、前記撮像手段を用いた撮影動作を禁止する禁止手段とを備え、前記記憶制御手段は前記比較手段による比較の結果、前記検出手段により検出された被写体と前記識別情報に関連付けられた画像の被写体とが同じ場合、前記識別情報を前記撮像手段により撮像された被写体の画像に関連付けて記憶するよう制御することを特徴とする。
【発明の効果】
【０００９】
本発明によれば、例えば複数の被写体を連続して撮影する場合、従来と比較し単純な操作により、各々の被写体の画像に対応する正しい識別情報を付加することが可能となる。これにより、撮影画像に間違った識別情報が付加されたり撮影画像に識別情報が付加されなかったりすることを防止でき、撮影画像を利用する際に手直し等が不要で効率的なシステムを構成することが可能となる。
【図面の簡単な説明】
【００１０】
【図１】本発明の第１の実施の形態に係る画像記録装置としての撮像装置の構成を示すブロック図である。
【図２】撮像装置の撮影処理を示すフローチャートである。
【図３】本発明の第２の実施の形態に係る撮像装置及び画像記録装置としてのリモート制御装置の構成を示すブロック図である。
【図４】人物を撮影した写真画像と人物固有のＩＤを関連付ける例を示す図である。
【発明を実施するための形態】
【００１１】
以下、本発明の実施の形態を図面に基づいて説明する。
【００１２】
本発明の各実施の形態の詳細を説明する前に概要を説明する。本実施の形態では、撮像装置もしくはリモート制御装置に接続されたＩＤ入力装置からＩＤを入力することで、撮像装置による撮影を許可し、撮影した被写体の特徴量の変化を分析することで、被写体が変化したかどうかを判断する。被写体が変化した場合は撮像装置による撮影を禁止することにより、同一の被写体に対しては同一の（通常は被写体に対応する）ＩＤを確実に付加できるようにするものである。
【００１３】
簡単な構成では、今回撮影した画像と直前に撮影した画像とにおける同一座標の単純な画素比較を行い、今回撮影した画像が直前に撮影した画像と比較し予め設定された一定量以上変化している場合に被写体が変化したと判定する方法が考えられる。もう少し複雑な構成では、例えば被写体である人物の顔を認識して特徴量を検出し、その特徴量から被写体の人物を特定することで、被写体が変化したと判定する方法が考えられる。人物撮影の場合は、個人を特定することで、構図の変更が行われても同一被写体として同じＩＤを付加することも可能である。また、商品撮影の場合は、例えば同一商品の色違いバージョンを撮影するには、色の変化で商品の変化を検出することも可能である。
【００１４】
〔第１の実施の形態〕
図１は、本発明の第１の実施の形態に係る画像記録装置としての撮像装置の構成を示すブロック図である。
【００１５】
図１において、撮像装置１０は、撮像部１０１、画像処理部１０２、被写体特徴量検出部１０３、被写体特徴量記憶部１０４、被写体特徴量比較部１０５、入力ＩＤ解析部１０６を備えている。更に、撮像装置１０は、撮影制御部１０７、画像−ＩＤ関連付部１０８、画像保存部１０９、画像表示部１１０、カウント部１１１、制御部（不図示）、操作部（不図示）を備えている。
【００１６】
ＩＤ入力装置３０（入力手段）は、被写体が人物の場合は当該人物が所持するＩＤカードから（被写体が商品の場合は商品自体から）バーコードデータ（識別情報）を操作者の操作により読み込むバーコードリーダとして構成されている。ＩＤ入力装置３０は、バーコードの読み込みに伴い、バーコードデータを撮像装置１０の入力ＩＤ解析部１０６に送出する。尚、ＩＤ入力装置３０としては、バーコードリーダに限定されるものではなく、ＲＦＩＤ（Radio Frequency Identification）の読み取りを行うＲＦＩＤ読取装置、等を用いてもよい。
【００１７】
撮像装置１０は、ライブビュー機能（撮影画像をリアルタイムで表示し撮影状況の確認を可能とする機能）を備えており、ライブビューモード、バーコード入力モードへの変更が可能に構成されている。撮像部１０１は、撮影に伴い撮影レンズ２０を通過してきた被写体の光学像を基に画像の撮像を行う。画像処理部１０２は、撮像部１０１の出力信号を画像データに変換する。画像表示部１１０は、画像処理部１０２により変換された画像データに対応した画像を表示する。これにより、撮影を行っている操作者に撮像装置１０の撮影状況を伝えることができる。
【００１８】
被写体特徴量検出部１０３は、画像処理部１０２により変換された画像データに基づいて、撮影した被写体の特徴量を検出する。被写体特徴量記憶部１０４には、当該撮影に対して直前に撮影された被写体の特徴量が記憶される。例えば複数の被写体を連続して撮影していく場合、被写体から次の被写体に撮影が進行する度に、被写体特徴量記憶部１０４に記憶される被写体特徴量は、当該撮影に対して直前の撮影で得られた被写体特徴量に次々に更新されていくことになる。
【００１９】
被写体特徴量比較部１０５は、被写体特徴量検出部１０３により検出した被写体特徴量と、被写体特徴量記憶部１０４に記憶されている被写体特徴量とを比較し、検出した被写体特徴量の変化量が予め設定された閾値（設定値）を超えているか否かを判定する。被写体の特徴量としては、人物の場合は顔の特徴などが考えられ、商品の場合は形状や色などが考えられる。被写体特徴量の検出と比較については後述する。
【００２０】
撮影制御部１０７は、被写体特徴量比較部１０５による比較結果に基づいて、撮像装置１０のカメラレリーズ（不図示）をロック状態／ロック解除状態に設定する等の撮影に関わる制御を行う。入力ＩＤ解析部１０６は、ＩＤ入力装置３０から入力されたバーコードデータ（ＩＤ）が正しいか否かを判定すると共に、バーコードデータを数字や文字等に変換する解析処理を行う。画像−ＩＤ関連付部１０８は、画像処理部１０２により変換された画像データに対し、入力ＩＤ解析部１０６により解析されたバーコードデータを付加して関連付ける処理を行う。
【００２１】
画像保存部１０９は、バーコードデータが付加され関連付けられた画像データを記憶媒体（メモリカード、ハードディスクドライブのハードディスク等）に保存（記録）する。カウント部１１１は、ＩＤ入力装置３０からバーコードが読み込まれ入力ＩＤ解析部１０６に正しいバーコードデータが入力されたことに伴い、撮影が可能となった後からの撮影された画像の枚数を計数する。
【００２２】
制御部（ＣＰＵ（中央演算装置））は、撮像装置全体の制御を司るものであり、本発明のプログラムに基づいて図２のフローチャートに示す処理を実行する。操作部は、操作者が撮像装置１０に対する各種の設定や撮影に関する指示等を行うための各種ボタンを備えている。
【００２３】
次に、上記構成を有する本実施の形態の撮像装置の動作について図２のフローチャートを参照しながら説明する。
【００２４】
図２は、撮像装置の撮影処理を示すフローチャートである。
【００２５】
図２において、撮像装置の制御部は、操作者により撮像装置の電源が投入されたことを検知し（ステップＳ１）、撮像装置の撮影準備が完了した後、撮像装置の動作モードを、ライブビュー機能を作動させるためのライブビューモードに変更する（ステップＳ２）。ライブビューモードは、操作者による操作部からの手動操作または事前の設定に基づき変更される。これにより、撮影レンズ２０を通して撮像部１０１で撮像された被写体の画像は画像表示部１１０に表示されることになる。
【００２６】
次に、撮像装置の制御部は、撮像装置の動作モードを、被写体に関連付けるバーコードを読み込むためのバーコード入力モードに変更する（ステップＳ３）。バーコード入力モードも、上記ライブビューモードと同様に、操作者による操作部からの手動操作または事前の設定に基づき変更される。
【００２７】
なお、ライブビューモードとバーコード入力モードは、排他的ではなく、通常は、ライブビューを表示しながら、バーコードの入力を受け付けるようにする構成する。しかしながら、バーコード入力を明確に行うために、バーコード入力中は、ライブビュー表示を中断したり、縮小して表示するような構成も考えられる。
【００２８】
撮像装置の制御部は、撮像装置がバーコード入力モードに入ると、ＩＤ入力装置３０から正しいバーコードデータが入力ＩＤ解析部１０６に入力されるまでは、撮影制御部１０７により、撮影動作を行うためのカメラレリーズをロックする（ステップＳ４）。これにより、画像データに間違ったバーコードデータが付加されたり、画像データにバーコードデータが付加されなかったりすることを防止するようにしている。
【００２９】
ＩＤ入力装置３０から正しいバーコードデータが入力ＩＤ解析部１０６に入力されると（ステップＳ５）、撮像装置の制御部は、撮影制御部１０７によりカメラレリーズのロックを解除し、撮影動作を許可する（ステップＳ６）。これにより、撮像装置１０で撮影を行うことができるようにする。
【００３０】
撮像装置の制御部は、ライブビューモードにより被写体画像の取得が開始された後は、被写体特徴量検出部１０３により被写体画像から被写体特徴量を検出する（ステップＳ７）。
【００３１】
その後は、撮像装置の制御部は、予め設定された一定時間間隔で被写体特徴量検出部１０３により被写体特徴量を検出する。更に、撮像装置の制御部は、被写体特徴量検出部１０３により検出された被写体特徴量と、被写体特徴量記憶部１０４に記憶されている被写体特徴量（当該撮影の直前の撮影で得た被写体特徴量）とを、被写体特徴量比較部１０５により比較する（ステップＳ８）。即ち、被写体特徴量比較部１０５による比較は、上記予め設定された一定時間間隔で行われる。
【００３２】
この場合、予め設定された一定時間間隔ごとに被写体の特徴量を検出する理由は、複数の被写体を連続して撮影する場合に、撮影する被写体が次々に代わる度に、検出被写体特徴量と記憶被写体特徴量との比較を円滑に実施可能とするためである。被写体特徴量の検出と被写体特徴量の比較については後述する。
【００３３】
上記比較の結果、記憶されている被写体特徴量に対する検出した被写体特徴量の変化量が予め設定された閾値を超えている場合は、次のように判断する。撮像装置の制御部は、検出被写体特徴量に対応する被写体と、記憶被写体特徴量に対応する被写体とは異なる被写体であると判断する。即ち、撮影対象の被写体が別の被写体に替わったと判断する。これに伴い、撮像装置の制御部は、被写体特徴量記憶部１０４に記憶されている被写体特徴量をクリアし（ステップＳ９）、撮影制御部１０７によりカメラレリーズをロックし、撮像動作を禁止する（ステップＳ４）。その後、バーコードデータの入力待ち状態（ステップＳ５）に戻る。
【００３４】
上記比較の結果、記憶されている被写体特徴量に対する検出した被写体特徴量の変化量が予め設定された閾値を超えていない場合は、次のように判断する。撮像装置の制御部は、検出被写体特徴量に対応する被写体と、記憶被写体特徴量に対応する被写体とは同一被写体であると判断する。これに伴い、撮像装置の制御部は、カメラレリーズのロック解除状態を継続することで撮影を可能とし（ステップＳ１０）、ステップＳ７で検出された被写体特徴量を被写体特徴量記憶部１０４に保存する（ステップＳ１１）。この場合、既に被写体特徴量記憶部１０４に記憶されていた、被写体特徴量はステップＳ７で新たに検出された被写体特徴量で上書きされる。
【００３５】
なお、ステップＳ７で最初の被写体特徴量を検出し、ステップＳ８で比較するときは、比較対象の被写体特徴量が被写体特徴量記憶部７０４に保存されていないので閾値を超えていないと判断する。ステップＳ９で被写体特徴量がクリアされた後にステップＳ７で被写体特徴量を検出した時も同様である。
【００３６】
次に、撮像装置の制御部は、画像−ＩＤ関連付部１０８により、ステップＳ５で入力されたバーコードデータをステップＳ１０で撮影された画像データに関連付けて記憶するよう記憶制御する（ステップＳ１２）。ステップＳ１２では、画像データのメタデータにバーコードデータを付加する、あるいは画像データの固有情報とバーコードデータを、これらの対応付けを示すテーブルに格納することが考えられる。更に、撮像装置の制御部は、バーコードデータを関連付けて画像データを画像保存部１０９により記憶媒体（例えばメモリカード）に保存する（ステップＳ１３）。
【００３７】
その後、撮影を継続する場合は（ステップＳ１４でＹＥＳ）、ステップＳ７に戻り、撮像装置の制御部は、被写体特徴量の検出（ステップＳ７）と比較（ステップＳ８）を行う。検出被写体特徴量と記憶被写体特徴量が異なったと判断するまで、ステップＳ７〜ステップＳ１３の処理を繰り返す。撮影を継続しない場合は（ステップＳ１４でＮＯ）、撮影処理を終了する（ステップＳ１５）。
【００３８】
被写体特徴量の検出方法については、様々な検出方法な既に公知となっており、どの検出方法を採用するかは本発明の趣旨には直接関係しないものであるが、いくつか例を挙げて説明することとする。
【００３９】
被写体が人物の場合の被写体特徴量としては、人物の顔を検知し、顔の構成要素（目、鼻、口、耳等）の配置状態、髪型、髪色などを特徴量とするのが適している。被写体が商品の場合の被写体特徴量としては、撮影画面上の特定範囲にある被写体の輪郭を抽出することで得られる被写体の形状や、撮影画面上の特定範囲の色を示す情報及び輝度を示す情報を特徴量とするのが適している。
【００４０】
また、被写体の特徴量の検出は行わず、前回の撮影で取り込まれた画像を表示する撮影画面上の特定範囲もしくは全体の画素値そのものを記憶し、今回の撮影で新たに取り込まれた画像の対応する座標の画素値をある許容範囲内で前記記憶内容と比較する。比較により、被写体が変化したか否かを判定することができる。
【００４１】
本実施の形態では、被写体の変化が一度でもあった場合にはカメラレリーズをロックする構成とした場合を例に挙げたが、予め被写体の変化の許容回数を設定する構成としてもよい。これにより、同一被写体の複数のポーズ、フレーミングについても、一度のＩＤ入力で撮影を継続できるようにすることが可能となる。
【００４２】
なお、本実施の形態では、ステップＳ７での被写体特徴量の検出およびステップＳ８での比較を一定時間間隔で実行すると説明した。しかしながら、実行のタイミングはこれに限らず、例えば、カメラレリーズが半押しされ、フォーカスロックがかかった時に実行するようにしてもよい。
【００４３】
あるいは、事前に同一被写体に対する撮影枚数を入力しておき、撮像装置のカウント部１１１によりカウントされた撮影に伴い保存された画像の枚数が規定値に達した後で、初めて図２のステップＳ７〜Ｓ８の被写体特徴量の検出および比較を行う構成としてもよい。これにより、撮像装置の制御部（ＣＰＵ）の処理負荷を軽減することも可能となる。
【００４４】
また、本実施の形態では、ステップＳ１１で被写体特徴量を上書きして被写体特徴量記憶部１０４に記憶する場合について説明したが、上書きせずに被写体特徴量をバーコードデータに関連付けて被写体特徴量記憶部１０４に記憶しておくようにしてもよい。そして、ステップＳ８では、ステップＳ５で入力されたバーコードデータと対応する被写体特徴量と、ステップＳ７で検出された被写体特徴量とを比較するようにしてもよい。これにより、連続して撮影された被写体についてだけでなく、撮影が連続していない被写体についても正しいバーコードデータが入力されているかどうかを確認することができる。
【００４５】
本実施の形態によれば、ＩＤ入力装置３０からバーコードデータ（識別情報）が入力されると、レリーズのロックを解除し撮影を許可するが、同じバーコードデータが設定されている間に異なる被写体が検出された場合、レリーズをロックし撮影を禁止する。そして、新しいバーコードデータの入力を待機する。
【００４６】
本構成により、例えば複数の被写体を連続して撮影する場合、各々の被写体に対応する正しい識別情報が設定されていないときに撮影を禁止するので、撮影画像に間違った識別情報が関連付けられることを防止できる。また、正しい識別情報が再入力されるまで撮影を禁止するので、撮影者に対して正しい識別情報の入力を強く促すことができ、撮影画像に正確な識別情報が関連付けられることになる。したがって、従来と比較し単純な操作により、各々の被写体の画像に対応する正しい識別情報を関連付けることが可能となる。
【００４７】
〔第２の実施の形態〕
図３は、本発明の第２の実施の形態に係る撮像装置及び画像記録装置としてのリモート制御装置の構成を示すブロック図である。
【００４８】
図３において、撮像装置４０は、撮像部４０１、画像処理部４０２、撮影制御部４０７、画像表示部４１０、通信部４１１、操作部（不図示）を備えている。リモート制御装置７０は、通信部７０１、画像処理部７０２、被写体特徴量検出部７０３、被写体特徴量記憶部７０４を備えている。更に、リモート制御装置７０は、被写体特徴量比較部７０５、入力ＩＤ解析部７０６、撮影制御部７０７、画像−ＩＤ関連付部７０８を備えている。更に、リモート制御装置７０は、画像保存部７０９、画像表示部７１０、カウント部７１１、制御部（不図示）を備えている。
【００４９】
本実施の形態が上記第１の実施の形態と相違する点は次の通りである。第１に、撮像装置と、例えば情報処理装置（パーソナルコンピュータ）から構成したリモート制御装置とを、有線（ケーブル）または無線により通信が可能に構成した点である。第２に、被写体特徴量検出部、被写体特徴量記憶部、被写体特徴量比較部、入力ＩＤ解析部、撮影制御部、画像−ＩＤ関連付部、画像保存部、カウント部、画像表示部を、リモート制御装置に設けた点である。第３に、リモート制御装置の動作モードをバーコード入力モードに変更が可能とした点である。撮像装置及びリモート制御装置の各部の機能は、上記第１の実施の形態（図１）の対応するものと同一なので説明を省略する。
【００５０】
なお、リモート制御装置の外部記憶装置には、ＯＳ（オペレーティングシステム）が記憶されている。また、撮像装置をリモート操作したり、撮像装置から撮影画像を受信したり、撮影画像を表示または編集したり、以下に説明する動作を実行するためのプログラムコードが記載されたアプリケーションプログラムも記憶されている。そして、リモート制御装置の制御部が外部記憶装置からＯＳやこのアプリケーションプログラムを読み出し、これにしたがって各モジュールを制御する。
【００５１】
次に、上記構成を有する本実施の形態のリモート制御装置の動作について図２のフローチャートを参照しながら説明する。尚、第１の実施の形態と共通する箇所の説明は簡略化または省略する。
【００５２】
図２において、リモート制御装置の制御部は、操作者により撮像装置の電源が投入されたことを検知し（ステップＳ１）、撮像装置の撮影準備完了後、撮像装置の動作モードをライブビューモードに変更する（ステップＳ２）。これにより、撮影レンズ５０を通して撮像部４０１で撮像された被写体の画像は、撮像装置の通信部４１１及びリモート制御装置の通信部７０１を介して送受信が行われ、画像表示部７１０に表示されることになる。次に、リモート制御装置の制御部は、リモート制御装置の動作モードをバーコード入力モードに変更する（ステップＳ３）。
【００５３】
なお、ライブビューモードとバーコード入力モードは、排他的ではなく、通常は、ライブビューを表示しながら、バーコードの入力を受け付けるようにする構成する。しかしながら、バーコード入力を明確に行うために、バーコード入力中は、ライブビュー表示を中断したり、縮小して表示するような構成も考えられる。
【００５４】
リモート制御装置の制御部は、リモート制御装置がバーコード入力モードに入ると、ＩＤ入力装置６０から正しいバーコードデータが入力ＩＤ解析部７０６に入力されるまでは、撮影制御部７０７によりカメラレリーズをロックする（ステップＳ４）。正しいバーコードデータかどうかは、例えば、入力されたバーコードデータに予め規定されている情報が含まれているか否かを判定したり、入力されたバーコードデータのチェックデジットを検査することによって判断される。
【００５５】
ＩＤ入力装置３０から正しいバーコードデータが入力ＩＤ解析部７０６に入力されると（ステップＳ５）、リモート制御装置の制御部は次の制御を行う。撮影制御部７０７により通信部７０１を介して撮影動作の許可を通信部４１１に送信する。そして、通信部４１１が撮影動作の許可を受信したことに応答して、撮像装置の撮影制御部４０７によりカメラレリーズのロックを解除し、撮影動作を許可する（ステップＳ６）。これにより、撮像装置で撮影を行うことができるようにする。
【００５６】
リモート制御装置の制御部は、ライブビューモードにより被写体画像の取得が開始された後は、被写体特徴量検出部７０３により被写体画像から被写体の特徴量を検出する（ステップＳ７）。
【００５７】
その後は、リモート制御装置の制御部は、予め設定された一定時間間隔ごとに被写体特徴量検出部７０３により被写体特徴量を検出する。更に、リモート制御装置の制御部は、被写体特徴量検出部７０３により検出された被写体特徴量と、被写体特徴量記憶部７０４に記憶されている被写体特徴量とを、被写体特徴量比較部７０５により比較する（ステップＳ８）。
【００５８】
上記比較の結果、記憶されている被写体特徴量に対する検出した被写体特徴量の変化量が予め設定された閾値を超えている場合は、次のように判断する。リモート制御装置の制御部は、検出被写体特徴量に対応する被写体と、記憶被写体特徴量に対応する被写体とは異なる被写体であると判断する。即ち、撮影対象の被写体が別の被写体に替わったと判断する。これに伴い、リモート制御装置の制御部は、被写体特徴量記憶部７０４に記憶されている被写体特徴量をクリアし（ステップＳ９）、撮影制御部７０７により通信部７０１を介して撮影動作の禁止を通信部４１１に送信する。そして、通信部４１１が撮影動作の禁止を受信したことに応答して、撮像装置の撮影制御部４０７によりカメラレリーズをロックし、撮影動作を禁止する（ステップＳ４）。その後、リモート制御装置はバーコードデータの入力待ち状態（ステップＳ５）に戻る。
【００５９】
上記比較の結果、記憶されている被写体特徴量に対する検出した被写体特徴量の変化量が予め設定された閾値を超えていない場合は、次のように判断する。リモート制御装置の制御部は、検出被写体特徴量に対応する被写体と、記憶被写体特徴量に対応する被写体とは同一被写体であると判断する。これに伴い、リモート制御装置の制御部は、カメラレリーズのロック解除状態を継続することで撮影を可能とし（ステップＳ１０）、ステップＳ７で検出された被写体特徴量を被写体特徴量記憶部７０４に保存する（ステップＳ１１）。この場合、既に被写体特徴量記憶部１０４に記憶されていた、被写体特徴量はステップＳ７で新たに検出された被写体特徴量で上書きされる。
【００６０】
なお、ステップＳ７で最初の被写体特徴量を検出し、ステップＳ８で比較するときは、比較対象の被写体特徴量が被写体特徴量記憶部７０４に保存されていないので、閾値を超えていないと判断する。ステップＳ９で被写体特徴量がクリアされた後にステップＳ７で被写体特徴量を検出した時も同様である。
【００６１】
次に、リモート制御装置の制御部は、画像−ＩＤ関連付部７０８により、ステップＳ５で入力されたバーコードデータをステップＳ１０３撮影された画像データに関連付けて記憶するよう記憶制御する（ステップＳ１２）。ステップＳ１２では、画像データのメタデータにバーコードデータを付加する、あるいは画像データの固有情報とバーコードデータを、これらの対応付けを示すテーブルに格納することが考えられる。更に、リモート制御装置の制御部は、バーコードデータを関連付けて画像データを画像保存部７０９により記憶媒体（例えばハードディスクドライブのハードディスク）に保存する（ステップＳ１３）。
【００６２】
その後、撮影を継続する場合は（ステップＳ１４でＹＥＳ）、ステップＳ７に戻り、リモート制御装置の制御部は、被写体特徴量の検出（ステップＳ７）と比較（ステップＳ８）を行う。検出被写体特徴量と記憶被写体特徴量が異なったと判断するまで、ステップＳ７〜ステップＳ１３の処理を繰り返す。撮影を継続しない場合は（ステップＳ１４でＮＯ）、撮影処理を終了する（ステップＳ１５）。
【００６３】
尚、上記第１の実施の形態で説明した通り、被写体特徴量の検出方法については、様々な検出方法な既に公知となっており、どの検出方法を採用するかは本発明の趣旨には直接関係しないものである。被写体（人物、商品）の特徴量の例と検出方法等に関しては、上記第１の実施の形態で述べた通りであるため説明を省略する。
【００６４】
なお、本実施の形態では、ステップＳ７での被写体特徴量の検出およびステップＳ８での比較を一定時間間隔で実行すると説明した。しかしながら実行のタイミングはこれに限らず、例えば、カメラレリーズが半押しされ、フォーカスロックがかかった時に実行するようにしてもよい。
【００６５】
あるいは、事前に同一被写体に対する撮影枚数を入力しておくようにしてもよい。そして、リモート制御装置のカウント部７１１によりカウントされた撮影に伴い保存された画像の枚数が規定値に達した後で、初めて図２のステップＳ７〜Ｓ８の被写体特徴量の検出および比較を行う構成としてもよい。これにより、リモート制御装置の制御部（ＣＰＵ）の処理負荷を軽減することも可能となる。
【００６６】
本実施の形態によれば、上記第１の実施の形態と同様のことを撮像装置およびそのリモート制御装置を含むシステムでも実現することが可能となる。
【００６７】
〔他の実施の形態〕
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ(又はＣＰＵやＭＰＵ等)が記憶媒体に格納されたプログラムコードを読み出す処理である。
【００６８】
この場合、記憶媒体から読み出されたプログラムコード自体が前述した実施の形態の機能を実現することになり、そのプログラムコード及び該プログラムコードを記憶した記憶媒体は本発明を構成することになる。
【００６９】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００７０】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７１】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【００７２】
１０、４０  撮像装置
３０、６０  ＩＤ入力装置
７０  リモート制御装置
１０１、４０１  撮像部
１０３、７０３  被写体特徴量検出部
１０５、７０５  被写体特徴量比較部
１０６、７０６  入力ＩＤ解析部
１０７、７０７  撮影制御部
１０８、７０８  画像−ＩＤ関連付部
１０９、７０９  画像保存部
１１１、７１１  カウント部
【図１】
2010183492.tif 000003
【図２】
2010183492.tif 000004
【図３】
2010183492.tif 000005
【図４】
2010183492.tif 000006